(57)【特許請求の範囲】
【請求項１】
筐体と、
前記筐体内に設けられる水槽、及び前記水槽内に回転可能に設けられる回転槽を含む洗濯槽と、
前記洗濯槽に設けられた洗濯槽吸気部に温風を供給する温風供給部と、
前記洗濯槽に設けられた洗濯槽排気部から前記洗濯槽吸気部に至るように形成され、前記洗濯槽排気部を上流側、前記洗濯槽吸気部を下流側として空気が通過可能な送風経路と、
前記送風経路の途中に設けられたフィルタ装置と、を備え、
前記フィルタ装置が、
空気中に含まれている異物を捕集するフィルタ部材と、
前記送風経路を流れる空気が通過可能であって、前記フィルタ部材を収容可能な空間をなすフィルタ収容部と、
前記フィルタ収容部に連通し、前記送風経路に外部から空気を導入可能なように外部に向けて開放された外気導入部と、
前記フィルタ収容部に連通し、前記送風経路から外部に空気を排出可能なように外部に向けて開放された内気排出部と、を有し、
前記フィルタ収容部は、前記筐体の天面に開口し、前記フィルタ部材を上方から挿抜可能とし、
前記フィルタ収容部の内周面において、
前記送風経路を流れる空気流の上流側内周面に開口した上流側開口と、
前記送風経路を流れる空気流の下流側内周面に開口した下流側開口と、
前記上流側内周面及び前記下流側内周面に対して交差する第一側方内周面に開口し前記内気排出部に連通した内気排出部連通口と、
前記第一側方内周面に対向する第二側方内周面に開口し前記外気導入部に連通した外気導入部連通口と、を有し、
前記フィルタ装置が、前記フィルタ収容部の内部空間を、前記下流側開口及び前記外気導入部連通口に連通した第一空間と、前記内気排出部連通口に連通した第二空間とに仕切る仕切壁を有し、
前記仕切壁は、前記送風経路を流れ前記上流側開口から吐出される空気を、前記第一空間に案内して前記下流側開口へ導いて内部循環させる気流と、前記第二空間に案内して前記内気排出連通口から外部に排気させる気流とに、所定の比率で分離すること、を特徴とする洗濯機。
【請求項２】
前記フィルタ部材が、
前記上流側開口の開口領域に亘って取り付けられる上流側フィルタ部材と、
前記下流側開口の開口領域に亘って取り付けられる下流側フィルタ部材と、を有すること、を特徴とする請求項１に記載の洗濯機。
【請求項３】
前記フィルタ装置が、
前記フィルタ収容部と、前記外気導入部と、前記内気排出部とを一体化したものであること、を特徴とする請求項１又は２に記載の洗濯機。
【請求項４】
前記内気排出部が、
前記内気排出部連通口と、
外部に向けて開口した内気排出口と、を有し、
前記フィルタ収容部から前記内気排出部連通口に入った空気を前記内気排出口から排出可能なものであり、
前記内気排出口の開口面積が、前記内気排出部連通口の開口面積よりも大きいこと、を特徴とする請求項１〜３のいずれかに記載の洗濯機。
【請求項５】
前記フィルタ収容部が、
水分を排出可能な排水口、及び前記排水口に向けて下り勾配となった傾斜部を底部に有すること、を特徴とする請求項１〜４のいずれかに記載の洗濯機。
【請求項６】
前記排水口から、前記フィルタ装置に対して上流側において前記送風経路に繋がる排水管を有することを特徴とする請求項５に記載の洗濯機。
【請求項７】
前記フィルタ収容部の内周面の一部又は全部が凹凸形状とされていること、を特徴とする請求項１〜６のいずれかに記載の洗濯機。
【発明の詳細な説明】
【技術分野】
【０００１】
本発明は、洗濯機に関する。
【背景技術】
【０００２】
従来、例えば下記特許文献１に開示されている洗濯乾燥機のようなものが提供されている。特許文献１の洗濯乾燥機は、洗濯機筐体内に回転自在に設けられた回転ドラムと、洗濯機筐体外の空気を乾燥用空気として取り入れる吸気口と、吸気口から回転ドラムへ乾燥用空気を送給する吸気経路と、乾燥用空気を加熱するヒータと、乾燥用空気を回転ドラム内へ送風する送風ファンと、洗濯機筐体外に開口する排気口と、回転ドラム内で衣類と熱交換した乾燥用空気を排気口へ送給する排気経路と、ヒータや送風ファンなどを制御する制御部とを備えたものとされている。また、この洗濯乾燥機においては、フィルタ収容室に対して着脱自在に設けられたリントフィルタ装置を有し、これにより循環風路中を流れる空気に含まれている異物を捕集できる構成とされている。
【先行技術文献】
【特許文献】
【０００３】
【特許文献１】特開２０１７−０５１２９６号公報
【発明の概要】
【発明が解決しようとする課題】
【０００４】
しかしながら、上記特許文献１の洗濯乾燥機においては、外気を導入するための吸気口と、内気を排出するための排気口とが循環風路中において離間して設けられている。そのため、特許文献１に開示されているような構成とした場合には、吸気口及び排気口の配置に対応してリントフィルタ装置を例えば幅広（横長）な形状のもの等とせねばならず、洗濯機をなす筐体内の限られたスペースを有効利用するうえで支障となりかねないという課題があった。
【０００５】
そこで本発明は、外気導入用の外気導入部、内気排出用の内気排出部、及びフィルタ装置の配置を最適化し、筐体内の限られたスペースを有効利用可能な洗濯機の提供を目的とした。
【課題を解決するための手段】
【０００６】
上述した課題を解決すべく提供される本発明の洗濯機は、筐体と、前記筐体内に設けられる水槽と、前記水槽内に回転可能に設けられる回転槽と、前記水槽に設けられた洗濯槽吸気部に温風を供給する温風供給部と、前記水槽に設けられた洗濯槽排気部から前記洗濯槽吸気部に至る送風経路と、前記送風経路の途中に設けられたフィルタ装置と、を備え、前記フィルタ装置が、空気中に含まれている異物を捕集するフィルタ部材と、前記送風経路を流れる空気が通過可能であって、前記フィルタ部材を収容可能な空間をなすフィルタ収容部と、前記フィルタ収容部に連通し、前記送風経路に外部から空気を導入可能なように外部に向けて開放された外気導入部と、前記フィルタ収容部に連通し、前記送風経路から外部に空気を排出可能なように外部に向けて開放された内気排出部と、を有すること、を特徴とするものである。
【０００７】
本発明の洗濯機においては、フィルタを収容するためのフィルタ収容部に対し、外気導入部、及び内気排出部を連通するように設けた構成とされている。このように、本発明の洗濯機は、フィルタ収容部に対して外気導入部及び内気排出部を集約した構成とされている。従って、本発明によれば、外気導入用の外気導入部、内気排出用の内気排出部、及びフィルタ装置の配置を最適化し、筐体内の限られたスペースを有効利用可能な洗濯機を提供できる。
【発明の効果】
【０００８】
本発明によれば、外気導入用の外気導入部、内気排出用の内気排出部、及びフィルタ装置の配置を最適化し、筐体内の限られたスペースを有効利用可能な洗濯機を提供できる。
【図面の簡単な説明】
【０００９】
【図１】本発明の一実施形態に係る洗濯機を示す斜視図である。
【図２】図１に示した洗濯機の分解斜視図である。
【図３】図１の洗濯機が備える水槽、回転槽、及び送風経路の排気側連通部を示した斜視図である。
【図４】図３に示した各部材を別の角度から見た状態を示す斜視図である。
【図５】送風経路の中間部及び吸気側連通部をなす部分、及びこれに付随するフィルタ装置、温風供給部等を示した斜視図である。
【図６】図５に示した各部材を別の角度から見た状態を示す斜視図である。
【図７】図１の洗濯機が備える温風供給部及び周辺部を示した斜視図である。
【図８】図１の洗濯機が備えるフィルタ装置を示す分解斜視図である。
【図９】図８のフィルタ装置を構成するフィルタ収容部を拡大して示した斜視図である。
【図１０】図９に示した各部材を別の角度から見た状態を示す斜視図である。
【図１１】図８のフィルタ装置を構成する上流側フィルタ部材を示す斜視図である。
【図１２】図１１に示した上流側フィルタ部材を別の角度から見た状態を示す斜視図である。
【図１３】（ａ）は図８のフィルタ装置を構成する下流側フィルタを表面側（上流側）から見た状態を示す斜視図、（ｂ）は下流側フィルタを裏面側（下流側）から見た状態を示す斜視図である。
【図１４】（ａ）は図１の洗濯機が備える水受部近傍を示した斜視図、（ｂ）は（ａ）の矢印Ａ方向から見た斜視図、（ｃ）は（ａ）の矢印Ｂ方向から見た斜視図である。
【図１５】図１の洗濯機が備える水受部近傍を示した断面図である。
【図１６】図１の洗濯機を構成する筐体の構成を示す斜視図である。
【図１７】第一変形例に係る洗濯機の構成を示したブロック図である。
【図１８】第一変形例に係る洗濯機の動作を示したタイミングチャートである。
【図１９】第二変形例に係る洗濯機の天面を示した斜視図である。
【図２０】図１９の要部を拡大した斜視図である。
【発明を実施するための形態】
【００１０】
以下、本発明の一実施形態に係る洗濯機１０について、図面を参照しつつ詳細に説明する。なお、以下の説明においては、先ず洗濯機１０の基本構成について説明し、詳細な説明が必要な部分については、先ず概略構成の説明を行い、さらに説明が必要な部分については概略説明の後に詳述する。なお、以下の説明において、上下左右等の位置関係についての説明は、特に断りのない限り洗濯機１０を通常に設置した状態を基準としたものである。
【００１１】
≪洗濯機１０の概略構成について≫
図１に示すように、洗濯機１０は、いわゆるドラム型の洗濯機である。図２や図３に示すように、洗濯機１０は、筐体２０、水槽３０及び回転槽４０を含む洗濯槽３５、送風経路５０、温風供給部７０、給排水部８０、フィルタ装置１００等を備えている。洗濯機１０は、給排水部８０により水槽３０及び回転槽４０の内部に水を供給し、回転槽４０を回転させることにより、回転槽４０の中に投入された洗濯物の洗濯やすすぎを行う運転（洗濯運転）を行うことができる。また、水槽３０及び回転槽４０から水を抜いた状態で回転槽４０を水槽３０の内部で回転させることにより、洗濯物の脱水を行う運転（脱水運転）を行うこともできる。さらに、洗濯機１０は、温風供給部７０を作動させることにより、水槽３０に接続された送風経路５０を介して温風を循環させ、回転槽４０内の洗濯物を乾燥する運転（乾燥運転）を行うこともできる。以下、洗濯機１０の基本的構成について、具体的に説明する。
【００１２】
図２や図３に示すように、筐体２０は、洗濯機１０を構成する水槽３０や、回転槽４０、送風経路５０、温風供給部７０、給排水部８０、フィルタ装置１００等を収容するものである。筐体２０は、正面２０ａ、背面２０ｂ、左側面２０ｃ、右側面２０ｄ、天面２０ｅ、及び底面２０ｆを有し、上下方向に長い略直方体状の形状とされている。
【００１３】
図１に示すように、筐体２０は、正面２０ａに扉２２を有する。扉２２は、例えば図示例のように正面視で略円形のものとすることができる。また、扉２２は、例えば正面２０ａから見て側方（図示例では左側）の端部に設けたヒンジによって、開閉可能なように支持されている。また、扉２２は、ヒンジとは反対側にロック機構を備えている。また、筐体２０は、正面２０ａ側であって天面２０ｅ側の位置に操作パネル部２４を有する。操作パネル部２４は、扉２２の上方に位置している。操作パネル部２４には、電源スイッチ、洗濯モード等を選択するためのスイッチ、表示部等が設けられている。
【００１４】
図２〜図４に示すように、洗濯槽３５は、水槽３０及びこれに収容される回転槽４０を有し、水槽３０の内部に回転槽４０を収容したものである。水槽３０は、円筒形で有底のものであり、ダンパーなどのサスペンション構造によって筐体２０内に収容され、支持されている。水槽３０は、筐体２０の正面２０ａに設けられた扉２２に対応する位置において開口するように配置されている。水槽３０は、後に詳述する給排水部８０に対して配管接続されている。これにより、水槽３０は、外部から供給された水を内部に貯留したり、内部にある水を外部に排出したりすることができる。また、水槽３０は、洗濯槽吸気部３２及び洗濯槽排気部３４を有する。
【００１５】
洗濯槽吸気部３２は、水槽３０において正面２０ａ側の位置に設けられている。本実施形態では、水槽３０が、正面２０ａ側にガスケット３６を有するものとされており、このガスケット３６に洗濯槽吸気部３２が設けられている。また、洗濯槽排気部３４は、水槽３０において背面２０ｂ側の位置に設けられている。また、水槽３０は、洗濯槽吸気部３２及び洗濯槽排気部３４を介して、後に詳述する送風経路５０に対して接続されている。これにより、水槽３０は、送風経路５０を流れる空気を正面２０ａ側の洗濯槽吸気部３２から導入し、背面２０ｂ側の洗濯槽排気部３４から排出することができる。なお、洗濯槽吸気部３２は、ガスケット３６に設けることで、回転槽４０に吸気する構成を一例として説明したが、洗濯槽吸気部３２を介して回転槽４０内に吹き込む構成であってもよい。
【００１６】
回転槽４０は、水槽３０の内部において回転可能なように収容された槽である。回転槽４０は、円筒形で有底のものである。回転槽４０は、水槽３０と同様に、筐体２０の正面２０ａに設けられた扉２２に対応する位置において開口するように配置されている。そのため、洗濯機１０は、扉２２を開くことにより、回転槽４０に対して洗濯物を出し入れ可能とされている。回転槽４０は、水槽３０の後部に配設されたモータ等の駆動機（図示せず）によって回転駆動可能とされている。回転槽４０は、内外を連通する開口が周部に複数設けられている。そのため、洗濯機１０は、水槽３０に水を貯留することにより、回転槽４０の内部にも水を導入することができる。また、洗濯機１０は、水槽３０から水を排水することにより、回転槽４０からも水を排出することができる。
【００１７】
図２や図３に示すように、送風経路５０は、水槽３０の外部において、水槽３０の洗濯槽排気部３４から洗濯槽吸気部３２に至る送風用の経路をなすものである。すなわち、図３、図５、及び図６において破線による矢印で示すように、送風経路５０は、水槽３０の洗濯槽排気部３４を上流側とし、これよりも気流の流れ方向下流側にある水槽３０の洗濯槽吸気部３２まで気流を到達させるための経路である。送風経路５０を介して送風することにより、水槽３０の内部に、正面側から背面側に向かう気流を発生させることができる。送風経路５０は、水槽３０の外側における気流の流れ方向上流側（洗濯槽排気部３４側）から下流側（洗濯槽吸気部３２側）に向けて、排気側連通部５２（連通部）、中間部５４、吸気側連通部５６の３つの部位に大別することができる。
【００１８】
排気側連通部５２は、水槽３０の洗濯槽排気部３４に対して連通する部分である。排気側連通部５２は、連通部５８及び水受部６０を有する。連通部５８は、水槽３０に対して背面２０ｂ側において立ち上がるように形成された通路である。連通部５８は、一端側（下端側）において洗濯槽排気部３４に接続されている。これにより、連通部５８は、洗濯槽排気部３４から排出された空気を、下方から上方に向かう方向に流すことができる。また、連通部５８の他端側は、水受部６０に接続されている。水受部６０は、後に詳述する給水部８２により供給された水を受け入れると共に、受け入れた水を連通部５８に落とし込むことにより、連通部５８の内周面を洗浄するためのものである。
【００１９】
中間部５４は、送風経路５０において、水槽３０の洗濯槽排気部３４を上流側とし、水槽３０の洗濯槽吸気部３２まで流れる気流の流れ方向中間部に位置している。すなわち、中間部５４は、送風経路５０において、水槽３０の洗濯槽排気部３４に繋がる排気側連通部５２よりも送風経路５０における気流の流れ方向下流側に位置する部分である。中間部５４は、水槽３０に対して天面２０ｅ側に存在している。中間部５４は、筐体２０の背面２０ｂ側から正面２０ａ側に向けて延びるように配置されている。中間部５４には、後に詳述するフィルタ装置１００が配置される。これにより、送風経路５０を通過する空気中に含まれているリント等の異物を除去可能とされている。また、中間部５４は、フィルタ装置１００に設けられた外気導入部１４０や内気排出部１３０を介して、送風経路５０に外気を導入したり、送風経路５０を流れる空気を排出させたりすることができる。
【００２０】
吸気側連通部５６は、送風経路５０において、水槽３０の洗濯槽排気部３４を上流側とし、水槽３０の洗濯槽吸気部３２まで流れる気流の流れ方向下流側に位置している。すなわち、吸気側連通部５６は、送風経路５０において、中間部５４に対して下流側に連なり、水槽３０の洗濯槽吸気部３２に繋がる部分である。吸気側連通部５６は、中間部５４と同様に水槽３０に対して天面２０ｅ側に存在している。吸気側連通部５６には、後に詳述する温風供給部７０が配置される。これにより、中間部５４においてフィルタ装置１００により異物が除去された空気を、温風供給部７０によって加熱することができる。吸気側連通部５６は、終端部において洗濯槽吸気部３２に接続されている。
【００２１】
温風供給部７０は、水槽３０に設けられた洗濯槽吸気部３２に温風を供給するためのものである。図７に示すように、温風供給部７０は、送風装置７２、及び加熱装置７４を有する。送風装置７２は、送風経路において気流を形成するためのものであり、例えば従来公知の送風ファン等によって構成できる。また、加熱装置７４は、送風装置７２の作動により送風経路５０を流れる空気を加熱するものである。加熱装置７４は、従来公知の電気式のヒータ等によって構成できる。
【００２２】
図２、３に示すように、給排水部８０は、給水部８２、及び排水部８４を有する。給水部８２は、外部の給水源に接続される給水路を有し、水槽３０に対して水を供給可能とされている。給水部８２は、例えば、給水源から供給された水をそのまま水槽３０に供給可能なものや、水槽３０に至る給水路の中途において、別途設けられた投入部において投入された洗剤や柔軟剤等を水に混合させた混合水の状態で水槽３０に供給可能なものとすることができる。排水部８４は、給水部８２とは別に水槽３０に対して接続された排水路を有する。排水部８４は、水槽３０内にある水を前述した排水路を介して排出可能とされている。
【００２３】
フィルタ装置１００は、上述した送風経路５０の中途にある中間部５４に配されるものである。フィルタ装置１００は、空気中に含まれているリント等の異物を捕集するためのものである。
【００２４】
洗濯機１０は、概ね上述したような構成とされている。以下、上述した各部の構成のうち、さらに詳細な説明が必要な部分について、図面を参照しつつ具体的に説明する。
【００２５】
≪フィルタ装置１００について≫
以下、フィルタ装置１００について、さらに詳細かつ具体的に説明する。フィルタ装置１００は、上述したように送風経路５０の途中に設けられるものである。図２や図５、図６等に示すように、本実施形態では、フィルタ装置１００は、送風経路５０の中間部５４に設けられている。図８に示すように、フィルタ装置１００は、フィルタ収容部１１０、内気排出部１３０、外気導入部１４０、及びフィルタ部材１５０を有する。フィルタ装置１００は、フィルタ収容部１１０、内気排出部１３０、及び外気導入部１４０を一体化したユニットとしつつ、このユニットに対してフィルタ部材１５０を着脱可能としている。
【００２６】
フィルタ収容部１１０は、送風経路５０を流れる空気が通過可能であって、フィルタ部材１５０を収容可能な空間をなすものである。図８〜図１０に示すように、フィルタ収容部１１０は、筐体２０の天面２０ｅに向けて開口しており、この開口を介してフィルタ部材１５０を着脱可能とされている。フィルタ収容部１１０は、平面視が略矩形となるように開口しており、その内周部に上流側開口１１２、下流側開口１１４、内気排出部連通口１１６、外気導入部連通口１１８を有する。
【００２７】
上流側開口１１２は、フィルタ収容部１１０の内周面のうち、送風経路５０を流れる空気流の上流側をなす上流側内周面１１０ａにおいて開口している。下流側開口１１４は、送風経路５０を流れる空気流の下流側をなす下流側内周面１１０ｂにおいて開口している。下流側開口１１４は、下流側内周面１１０ｂのうち、外気導入部連通口１１８が設けられた側の領域に形成されている。下流側内周面１１０ｂは、上流側内周面１１０ａに対して対向する面である。内気排出部連通口１１６は、フィルタ収容部１１０の内周面のうち、上流側内周面１１０ａ及び下流側内周面１１０ｂに対して交差（本実施形態では略直交）するように立設された第一側方内周面１１０ｃにおいて開口している。内気排出部連通口１１６は、フィルタ収容部１１０と内気排出部１３０とを連通させる開口である。内気排出部連通口１１６は、後述する内気排出部１３０を構成する部分でもある。また、外気導入部連通口１１８は、フィルタ収容部１１０の内周面のうち、第一側方内周面１１０ｃに対して対向するように立設された第二側方内周面１１０ｄにおいて開口している。外気導入部連通口１１８は、フィルタ収容部１１０と外気導入部１４０とを連通させる開口である。外気導入部連通口１１８は、後述する外気導入部１４０を構成する部分でもある。
【００２８】
フィルタ収容部１１０は、底部１１０ｅに、排水口１２０、傾斜部１２２、ガイド溝１２４を有する。排水口１２０は、フィルタ収容部１１０から結露水等の水分を排出するための開口である。排水口１２０は、底部１１０ｅであって、下流側内周面１１０ｂ及び第二側方内周面１１０ｄに隣接する位置に設けられている。排水口１２０は、フィルタ収容部１１０の外部において、排水管１２０ａを介してフィルタ装置１００に対して空気流の流れ方向上流側にある連通部５８に向けて排水可能なように接続されている。傾斜部１２２は、底部１１０ｅが排水口１２０に向けて下り勾配となるように傾斜した部分である。これにより、フィルタ収容部１１０は、フィルタ収容部１１０内において底部１１０ｅに落下した水分を、排水口１２０に向けて誘導できる構成とされている。また、ガイド溝１２４は、後に詳述するフィルタ部材１５０をなす下流側フィルタ部材１８０を確実に着脱容易とするための溝である。ガイド溝１２４は、下流側フィルタ部材１８０の下端部の形状に合わせて窪んだ形状とされている。被係合部１２６は、下流側フィルタ部材１８０の上端部に設けられた係合部１９０と係合する部分である。
【００２９】
また、フィルタ収容部１１０は、内周面の一部又は全部が、襞状に凹凸した形状とされている。本実施形態では、上流側内周面１１０ａ、第一側方内周面１１０ｃ、及び第二側方内周面１１０ｄが襞状に凹凸した形状とされている。これにより、フィルタ収容部１１０において結露水等の水分を徐々に底部１１０ｅ及び排水口１２０に向けて落下するようにしている。このようにすることで、フィルタ収容部１１０内を通過する気流の影響で、結露水を少しでも蒸発させることが可能となり、排水口１２０から連通部５８に環流される水分量を減少させることができる。
【００３０】
内気排出部１３０は、フィルタ収容部１１０に連通し、送風経路５０から外部に空気を排出可能なように外部に向けて開放された部分である。内気排出部１３０は、上述した内気排出部連通口１１６と、内気排出路１３２と、内気排出口１３４とを有する。内気排出路１３２は、内気排出部連通口１１６を介してフィルタ収容部１１０と連通している。内気排出路１３２は、内気排出部連通口１１６と内気排出口１３４とを繋ぐ通路である。内気排出口１３４は、内気排出路１３２において内気排出部連通口１１６とは反対側の端部に設けられた開口である。
【００３１】
ここで、内気排出部連通口１１６がフィルタ収容部１１０において立設された第一側方内周面１１０ｃに形成された開口であるのに対し、内気排出口１３４は、天面２０ｅ側に向けて開口したものである。そのため、両開口を繋ぐ内気排出路１３２は、中途において略９０度屈曲している。内気排出路１３２は、内部を通過する気流の圧損を最小限に抑制すべく、中途に設けられた屈曲部が曲面（Ｒ形状）となるように形成されている。また、内気排出部１３０は、内気排出口１３４から出る気流（排気）の排出速度を抑制すべく、内気排出口１３４の開口面積が、内気排出部連通口１１６の開口面積よりも大きくなるように形成されている。かかる構成によれば、内気排出口１３４における排気速度を低減することができる。これにより、洗濯機１０の周辺に勢いよく排気が排出されるのを抑制でき、例えば、狭小なマンションの洗濯機設置スペースのように、周辺に壁が近接した場所に洗濯機が設置されたとしても、湿気を含んだ排気が壁紙に当たるのを抑制できる。その結果、洗濯機１０からの排気の接触を原因として、壁紙の表面等に結露水が付着したり、カビ等の微生物が発生したりするのを抑制できる。
【００３２】
外気導入部１４０は、フィルタ収容部１１０に連通し、送風経路５０に外部から空気（外気）を導入可能なように外部に向けて開放されたものである。外気導入部１４０は、フィルタ収容部１１０を介して内気排出部１３０とは反対側に位置している。また、外気導入部１４０は、上述した内気排出部１３０と同様の構成とされている。
【００３３】
具体的には、外気導入部１４０は、上述した外気導入部連通口１１８と、外気導入路１４２と、外気導入口１４４とを有する。外気導入路１４２は、外気導入部連通口１１８を介してフィルタ収容部１１０と連通している。外気導入路１４２は、外気導入部連通口１１８と外気導入口１４４とを繋ぐ通路である。外気導入口１４４は、外気導入路１４２において外気導入部連通口１１８とは反対側の端部に設けられた開口である。
【００３４】
また、外気導入路１４２は、内気排出路１３２と同様に、中途において略９０度屈曲している。具体的には、外気導入部連通口１１８がフィルタ収容部１１０において第二側方内周面１１０ｄに形成された開口であるのに対し、外気導入口１４４は、天面２０ｅ側に向けて開口したものである。そのため、外気導入路１４２は、中途において略９０度屈曲している。外気導入路１４２は、外部から取り込まれる気流の圧損を最小限に抑制すべく、中途に設けられた屈曲部が曲面（Ｒ形状）となるように形成されている。また、外気導入部１４０は、外気導入口１４４の開口面積が、外気導入部連通口１１８の開口面積よりも大きくなるように形成されている。これにより、外気を効率的に取り込める。
【００３５】
図８に示すように、フィルタ部材１５０は、送風経路５０を流れる空気中に含まれている異物を捕集するものである。本実施形態の洗濯機１０は、フィルタ部材１５０として、上流側フィルタ部材１６０、及び下流側フィルタ部材１８０を送風経路５０における気流の流れ方向に配置したものとされている。
【００３６】
図１１や図１２に示すように、上流側フィルタ部材１６０は、上流側フィルタ本体１６２に対し、上流側フィルタ１６４を取り付けたものとされている。上流側フィルタ部材１６０は、天面２０ｅ側に向けて開口しているフィルタ収容部１１０に対し、上方から挿抜可能とされたものである。上流側フィルタ本体１６２は、閉塞部１６６、上流側立設部１６８、第一側方立設部１７０、第二側方立設部１７２、仕切壁１７４を有する。
【００３７】
閉塞部１６６は、上流側フィルタ部材１６０をフィルタ収容部１１０に差し込んだ状態において、天面２０ｅ側に設けられたフィルタ収容部１１０の開口部を閉塞するものである。閉塞部１６６は、天面２０ｅ側に露出する面に窪み１６６ａを有する。窪み１６６ａは、使用者が上流側フィルタ部材１６０をフィルタ収容部１１０に挿抜する際に、上流側フィルタ部材１６０を把持しやすくするためのものであり、指を複数本挿入可能なものとされている。
【００３８】
上流側立設部１６８は、上述したフィルタ収容部１１０に上流側フィルタ部材１６０を嵌め込んだ状態において、上流側内周面１１０ａに沿うように立設される部分である。上流側立設部１６８は、閉塞部１６６の裏面側（底側）において、閉塞部１６６に対して略直交するように立設されている。上流側立設部１６８は、上流側内周面１１０ａに設けられた上流側開口１１２からフィルタ収容部１１０に流入する気流に対する抵抗を最小限に抑制すべく、少なくとも上流側開口１１２に対応する部分については格子状とされている。上流側立設部１６８には、格子状に形成された部分の全域に亘り、網状の上流側フィルタ１６４が取り付けられている。また、上流側フィルタ１６４が取り付けられた部分の周囲には、気密性、水密性を保持するための上流側シール部１６８ａが取り付けられている。上流側シール部１６８ａは、様々な素材のものとすることができるが、本実施形態ではＥＰＤＭゴム製のものが用いられている。
【００３９】
第一側方立設部１７０は、上述したフィルタ収容部１１０に上流側フィルタ部材１６０を嵌め込んだ状態において、第一側方内周面１１０ｃに沿うように立設される部分である。第一側方立設部１７０は、上流側立設部１６８と同様に、閉塞部１６６の裏面側（底側）において、閉塞部１６６に対して略直交するように立設されている。また、第一側方立設部１７０は、上流側立設部１６８の幅方向一端側において、上流側立設部１６８に対して交差（本実施形態では略直交）するように形成されている。第一側方立設部１７０は、上流側立設部１６８と同様に、内気排出部連通口１１６を通過してフィルタ収容部１１０から排出される空気流の抵抗となるのを最小限に抑制すべく、少なくとも内気排出部連通口１１６に対応する部分については格子状とされている。
【００４０】
第二側方立設部１７２は、上述したフィルタ収容部１１０に上流側フィルタ部材１６０を嵌め込んだ状態において、第二側方内周面１１０ｄに沿うように立設される部分である。第二側方立設部１７２は、上流側立設部１６８や第一側方立設部１７０と同様に、閉塞部１６６の裏面側（底側）において、閉塞部１６６に対して略直交するように立設されている。また、第二側方立設部１７２は、上流側立設部１６８の幅方向他端側（第一側方立設部１７０とは反対側）において、上流側立設部１６８に対して交差（本実施形態では略直交）するように形成されている。第二側方立設部１７２は、第一側方立設部１７０に対して略並行とされている。また、第二側方立設部１７２は、上流側立設部１６８や第一側方立設部１７０と同様に、外気導入部連通口１１８を通過してフィルタ収容部１１０に導入される空気流の抵抗となるのを最小限に抑制すべく、少なくとも外気導入部連通口１１８に対応する部分については格子状とされている。
【００４１】
仕切壁１７４は、フィルタ収容部１１０の内部空間を、第一空間１７６と第二空間１７８に仕切るものである。具体的には、仕切壁１７４は、上流側立設部１６８等と同様に、閉塞部１６６の裏面側（底側）において、閉塞部１６６に対して略直交するように立設されている。また、仕切壁１７４は、上流側立設部１６８の幅方向中間部（第一側方立設部１７０と第二側方立設部１７２との間）において、上流側立設部１６８に対して交差（本実施形態では略直交）するように形成されている。仕切壁１７４は、第一側方立設部１７０及び第二側方立設部１７２に対して略並行とされている。これにより、仕切壁１７４は、上流側立設部１６８に形成された開口領域を外気導入部連通口１１８が存在する側の領域と、内気排出部連通口１１６が存在する側の領域とに分けることができる。また、仕切壁１７４は、上流側フィルタ部材１６０をフィルタ収容部１１０に嵌め込んだ状態において、下流側内周面１１０ｂまで到達するように形成されている。そのため、仕切壁１７４は、フィルタ収容部１１０の内部空間を、下流側開口１１４及び外気導入部連通口１１８に連通した第一空間１７６と、内気排出部連通口１１６に連通した第二空間１７８とに仕切ることができる。
【００４２】
図１３に示すように、下流側フィルタ部材１８０は、下流側開口１１４の開口領域に亘って取り付けられるフィルタである。下流側フィルタ部材１８０は、下流側フィルタ枠１８２に対し、下流側フィルタ１８４を取り付けたものとされている。下流側フィルタ部材１８０は、上流側フィルタ部材１６０と同様に、天面２０ｅ側に向けて開口しているフィルタ収容部１１０に対し、上方から挿抜可能とされたものである。
【００４３】
具体的には、下流側フィルタ枠１８２は、下流側フィルタ１８４を取り付ける部材である。下流側フィルタ枠１８２は、フィルタ取付部１８６、把持部１８８、係合部１９０、下流側シール部１９２を有する。
【００４４】
フィルタ取付部１８６は、下流側フィルタ１８４が取り付けられる部分である。フィルタ取付部１８６は、平坦かつ格子状の形状とされている。フィルタ取付部１８６には、網状の下流側フィルタ１８４が取り付けられている。また、下流側フィルタ枠１８２の下端側は、上述したフィルタ収容部１１０の底部１１０ｅに設けられたガイド溝１２４に差込可能な形状とされている。
【００４５】
把持部１８８は、下流側フィルタ部材１８０の取付状態において上端部となる部分に設けられている。把持部１８８は、平面状に形成されたフィルタ取付部１８６の上端部からカール状に反るように湾曲している。把持部１８８は、下流側フィルタ部材１８０の取付状態においてフィルタ取付部１８６と下流側内周面１１０ｂとが密着するのを阻害しないように、下流側内周面１１０ｂから離反する方向に湾曲している。
【００４６】
係合部１９０は、フィルタ収容部１１０の下流側内周面１１０ｂに下流側フィルタ部材１８０を固定するためのものである。係合部１９０は、下流側内周面１１０ｂに設けられた被係合部１２６に係合するものとされている。本実施形態では、係合部１９０が爪状のものとされ、被係合部１２６が係合部１９０を差し込んで係合させることが可能な凹部とされている。
【００４７】
下流側シール部１９２は、下流側フィルタ部材１８０の取付状態においてフィルタ取付部１８６と下流側内周面１１０ｂとの間に介在できるように、下流側フィルタ１８４が取り付けられた部分を取り囲むように取り付けられている。そのため、下流側フィルタ部材１８０を取り付けると、フィルタ取付部１８６と下流側内周面１１０ｂとの間において、気密性、水密性が保持される。下流側シール部１９２は、様々な素材のものとすることができるが、本実施形態ではＥＰＤＭゴム製のものが用いられている。このように、下流側フィルタ部材１８０を設けることにより、例えば、上流側フィルタ部材１６０を装着し忘れるなどしてしまった場合であっても、下流側フィルタ部材１８０によってリントを捕捉することができる。また、外気導入部１４０から外気を取り込むことで、洗濯槽３５から中間部５４へと送られる湿潤な循環気流をフィルタ収容部１１０において冷却し（飽和水蒸気量を低下させ）、下流側フィルタ部材１８０にも結露水を発生させることができる。このように結露水を発生させることで、下流側フィルタ部材１８０にリントを付着しづらくさせたり、下流側フィルタ部材１８０からリントを流下させたりすることができる。
【００４８】
≪水受部６０について≫
続いて、水受部６０について、図面を参照しつつ具体的かつ詳細に説明する。上述したように、水受部６０は、フィルタ装置１００に対して送風経路５０における気流の流れ方向上流側に設けられている。水受部６０は、送風経路５０の排気側連通部５２をなす連通部５８の端部に接続されている。
【００４９】
図１４や図１５に示すように、水受部６０は、底面６０ａと、底面６０ａの外縁をなすように立設された外縁部６０ｂとを有する。これにより、水受部６０は、外縁部６０ｂによって囲まれた領域内に水が導入可能となっている。また、外縁部６０ｂには、給排水部８０に対して配管接続される接続部６０ｃが設けられている。接続部６０ｃは、外縁部６０ｂから外部に向けて突出するように形成されている。これにより、水受部６０は、接続部６０ｃを介して外縁部６０ｂに対して交差する方向（底面６０ａに沿う方向）に水が導入されることで、接続部６０ｃから離れた位置まで水を送ることができる。なお、接続部６０ｃは、開口部６２の開口方向と交差する方向に設けられる構成には限定されず、供給する水の到達位置（着地位置）が水受部６０であればよく、接続部６０ｃは開口方向に沿う方に設けられても良い。
【００５０】
また、水受部６０には、開口部６２、立設部６４、及び溝部６６が設けられている。開口部６２は、水受部６０の底面６０ａにおいて、連通部５８に連通するように形成された開口である。開口部６２の開口形状は、連通部５８の端部における開口形状及び大きさに合わせて形成されている。立設部６４は、開口部６２を囲むように立設された部分である。本実施形態では、立設部６４は、開口部６２の開口縁に沿って立設されているが、開口部６２より外側において開口部６２を囲むように立設されていても良い。このような構成によれば、接続部６０ｃから導入された水の一部は立設部６４により堰き止められて水受部６０の外縁部６０ｂに沿って貯水された状態となり、それ以外の水は立設部６４を乗り越えて、又は溝部６６から、開口部６２へ落とし込まれる。溝部６６は、立設部６４に設けられた溝である。溝部６６は、立設部６４において一箇所以上に設けられている。
なお、本実施形態では、立設部６４及び溝部６６の両方を有する構成を一例として説明したが、立設部６４及び溝部６６の両方を有しない構成であっても良いし、立設部６４及び溝部６６のうち一方を設ける構成（溝部６６のみを設ける構成の場合は、開口部６２の周囲に溝部６６を設ける構成）であっても良い。また、溝部６６の配置数や大きさ等は適宜設定可能であるが、例えば、連通部５８においてリントが付着しやすい部分に溝部６６を多く配置したり、水の流入口となる接続部６０ｃからの距離に応じて溝部６６の配置密度を相違させたりすることが可能である。本実施形態では、図１４に示すようにリントが付着しやすい側に溝部６６を多く設けると共に、接続部６０ｃを配置している。そのため、水受部６０に水を導入することにより、連通部５８においてリントが付着しやすい側に水を優先的に流して、連通部５８を万遍なく洗浄可能としている。
【００５１】
水受部６０は、上述したような構成とされており、給排水部８０によって開口部６２の開口方向と交差する方向（本実施形態では略水平方向）から給水された水を連通部５８に落とし込んで洗浄（リント流水洗浄）することができる。リント流水洗浄は、適宜のタイミングで行うことが可能であるが、例えば、洗濯運転時に洗濯やすすぎのために水槽３０へ給水するタイミングや、乾燥運転後の所定時間内であって排水用の弁を開放したままの状態にしておけるタイミング等において行うことができる。
【００５２】
≪温風供給部７０について≫
続いて、温風供給部７０の特徴的部分について、図面を参照しつつ具体的かつ詳細に説明する。上述したように、温風供給部７０は、水槽３０に設けられた洗濯槽吸気部３２に温風を供給するものである。図７に示すように、温風供給部７０は、送風経路５０において気流を形成するための送風装置７２と、送風経路５０を流れる空気を加熱するための加熱装置７４を有する。
【００５３】
ここで、加熱装置７４は、送風経路５０の中途にある排気側連通部５２において、通路断面積が上流側よりも狭窄された狭窄部５２ａに配置されている。そのため、温風供給部７０は、加熱装置７４において送風経路５０を流れる空気と効率良く熱交換を行い、スムーズに空気を加熱することができる。また、加熱装置７４は、送風装置７２よりもさらに下流側に配置されており、水槽３０に入る直前の空気を加熱することができる。そのため、加熱後の空気が送風経路５０を流れる間に放熱して温度低下したり、吸湿したりするのを最小限に抑制できる。これにより、できるだけ高温かつ低湿度とされた空気を水槽３０に導入することが可能となり、水槽３０内にある洗濯物の乾燥効率を向上させることができる。
【００５４】
≪筐体２０について≫
続いて、筐体２０の特徴的部分について、図面を参照しつつ具体的かつ詳細に説明する。図１〜図３に示すように、筐体２０は、本体部２６ａ、台座部２６ｂを有する。また、筐体２０は、図１６に示すように、接続部２６ｃを有する。
【００５５】
本体部２６ａは、水槽３０や回転槽４０、送風経路５０、水受部６０、温風供給部７０、給排水部８０、フィルタ装置１００等を内部に収容する部分である。本体部２６ａは、天面２０ｅ側において正面２０ａ側に配置される前梁２８ａ、背面２０ｂ側に配置される後梁２８ｂ、左側面２０ｃ及び右側面２０ｄ側に配置される一対の側方梁２８ｃ，２８ｄを有する。前梁２８ａは、正面２０ａ側において左右に延びる梁である。前梁２８ａは、操作パネル部２４の裏側にある基板の下方に配置されている。また、後梁２８ｂは、背面２０ｂ側において左右に延びる梁である。側方梁２８ｃ，２８ｄは、左側方、及び右側方において前後方向に延びる梁であり、前梁２８ａ及び後梁２８ｂに対して接続されている。
【００５６】
本体部２６ａにおいては、送風経路５０をなす部材が、各梁に対して懸架されている。具体的には、送風経路５０は、送風経路５０の下半分をなすベース構成体５０ａ、フィルタ収容部１１０を中心とする周辺部分を構成するフィルタ収容部構成体５０ｂ、及び温風供給部７０を中心とする周辺部分を構成する温風供給部構成体５０ｃを有する。送風経路５０は、ベース構成体５０ａの上に、フィルタ収容部構成体５０ｂや温風供給部構成体５０ｃを組み付けることにより構成される。送風経路５０を各梁に対して懸架させるときには、先ずベース構成体５０ａを前梁２８ａや後梁２８ｂ、側方梁２８ｃに対して懸架する。その後、ベース構成体５０ａの上にフィルタ収容部構成体５０ｂや温風供給部構成体５０ｃを組み付ける。このように、洗濯機１０は、本体部２６ａをなす各梁を利用して、簡単な手順によって送風経路５０を組み付けることができる。また、本体部２６ａは、上方側に強度の高い前梁２８ａや後梁２８ｂ、側方梁２８ｃ，２８ｄを配し、剛性の高い構成とされている。かかる本体部２６ａの特性に鑑み、洗濯機１０においては、他部材に比べて重量が大きく、送風に伴う振動発生が懸念される送風経路５０を、各梁２８ａ〜２８ｄに懸架して組み付けている。そのため、洗濯機１０においては、送風経路５０を安定的に保持することができる。
【００５７】
台座部２６ｂは、本体部２６ａの台座として、本体部２６ａの下方に配されるものである。台座部２６ｂは、平面視において本体部２６ａと略同一の大きさ及び形状とされている。台座部２６ｂは、平面視において中央部に上下方向に貫通した空洞を設けたものとされている。また、台座部２６ｂは、空洞を囲む周部をなす部分についても、上下方向に貫通した貫通孔を多数有するハニカム状の形状とされている。これにより、台座部２６ｂの強度を損なうことなく軽量化が図られている。
【００５８】
また、台座部２６ｂの周部は、正面２０ａ側において、天面２０ｅ側から底面２０ｆ側に向けて切り欠かれた形状とされている。そのため、台座部２６ｂの上に本体部２６ａを配置すると、両者の間に周方向外側に向けて開放された開口部２６ｄが形成される。開口部２６ｄは、筐体２０の下方側において、筐体２０の内側に手や工具等を差し入れて作業したり、排水用の配管の引廻し、プリント基板の更新、保守等、様々な用途のために活用することができる。
【００５９】
接続部２６ｃは、本体部２６ａ及び台座部２６ｂを接続しつつ、防振性や剛性の向上を図るものである。接続部２６ｃは、本体側固定部２６ｅ、及び台座側固定部２６ｆを有する。本体側固定部２６ｅは、本体部２６ａの底部において正面２０ａ側の位置に、幅方向略全体に亘って取り付けられるものである。また、台座側固定部２６ｆは、台座部２６ｂの天部において正面２０ａ側の位置に、幅方向略全体に亘って取り付けられるものである。
【００６０】
具体的には、本体側固定部２６ｅは、本体部２６ａの前面下部において左右方向に延びる本体側前面プレート２６ｇを有する。台座側固定部２６ｆは、台座部２６ｂの左右上面に締結される台座側側梁２６ｈ，２６ｉと、台座部２６ｂの前部上面において左右方向に延びる台座側前面プレート２６ｊとを有する。また、台座側側梁２６ｈ，２６ｉには、水槽３０を支持するダンパーなどのサスペンション構造（図示せず）が接続される接続部２６ｋが設けられている。接続部２６ｃは、台座側側梁２６ｈに対し、台座側前面プレート２６ｊの上面と台座側側梁２６ｈ，２６ｉの下面とを、ネジ等の締結具によって締結すると共に、本体側前面プレート２６ｇの下面と台座側側梁２６ｈ，２６ｉの上面とをネジ等の締結具によって締結することにより固定されている。このようにして、接続部２６ｃは、本体側固定部２６ｅ、及び台座側固定部２６ｆを固定具によって連結固定することにより、本体部２６ａと台座部２６ｂとを一体化し、防振性及び剛性の向上を図ることができる。
【００６１】
上述した洗濯機１０は、従来技術における各種課題を解決するための手段として、以下のような構成により効果を発揮するものである。
【００６２】
（１−１）本実施形態の洗濯機１０は、筐体２０と、前記筐体２０内に設けられる水槽３０、及び前記水槽３０内に回転可能に設けられる回転槽４０を含む洗濯槽３５と、洗濯槽３５に設けられた洗濯槽吸気部３２に温風を供給する温風供給部７０と、水槽３０に設けられた洗濯槽排気部３４から洗濯槽吸気部３２に至る送風経路５０と、送風経路５０の途中に設けられたフィルタ装置１００と、を備え、フィルタ装置１００が、空気中に含まれている異物を捕集する上流側フィルタ部材１６０及び下流側フィルタ部材１８０と、送風経路５０を流れる空気が通過可能であって、上流側フィルタ部材１６０及び下流側フィルタ部材１８０を収容可能な空間をなすフィルタ収容部１１０と、フィルタ収容部１１０に連通し、送風経路５０に外部から空気を導入可能なように外部に向けて開放された外気導入部１４０と、フィルタ収容部１１０に連通し、送風経路５０から外部に空気を排出可能なように外部に向けて開放された内気排出部１３０と、を有すること、を特徴とするものである。
【００６３】
上述した洗濯機１０においては、フィルタ（上流側フィルタ部材１６０及び下流側フィルタ部材１８０）を収容するためのフィルタ収容部１１０に対し、外気導入部１４０、及び内気排出部１３０を連通するように設けた構成とされている。このように、洗濯機１０は、フィルタ収容部１１０に対して外気導入部１４０及び内気排出部１３０を集約した構成とされている。従って、上述した構成によれば、外気導入用の外気導入部１４０、内気排出用の内気排出部１３０、及びフィルタ装置１００の配置を最適化し、筐体２０内の限られたスペースを有効利用可能な洗濯機１０を提供できる。
【００６４】
なお、本実施形態では、フィルタとして上流側フィルタ部材１６０及び下流側フィルタ部材１８０の二つを設けた例を示したが、上記（１−１）の構成とするときには、例えば下流側フィルタ部材１８０を省略する等していずれか一方のみとしても良い。
【００６５】
（１−２）本実施形態の洗濯機１０は、フィルタ装置１００が、フィルタ収容部１１０と、外気導入部１４０と、内気排出部１３０とを一体化したものであること、を特徴とするものである。
【００６６】
かかる構成によれば、内気排出部１３０及び外気導入部１４０をフィルタ収容部１１０と一体的に組み付けることが可能となり、部品点数の削減や装置構成の簡素化に貢献できる。
【００６７】
（１−３）本実施形態の洗濯機１０は、内気排出部１３０が、フィルタ収容部１１０に連通した内気排出部連通口１１６と、外部に向けて開口した内気排出口１３４と、を有し、フィルタ収容部１１０から内気排出部連通口１１６に入った空気を内気排出口１３４から排出可能なものであり、内気排出口１３４の開口面積が、内気排出部連通口１１６の開口面積よりも大きいこと、を特徴とするものである。
【００６８】
かかる構成によれば、内気排出口１３４における排気速度を低減することができる。これにより、洗濯機１０の周辺に勢いよく排気が排出されるのを抑制できる。これにより、例えば、狭小なマンションの洗濯機設置スペースのように、周辺に壁が近接した場所に洗濯機が設置されたとしても、湿気を含んだ排気が壁紙に当たるのを抑制できる。その結果、洗濯機１０からの排気の接触を原因として、壁紙の表面等に結露水が付着したり、カビ等の微生物が発生したりするのを抑制できる。
【００６９】
（１−４）本実施形態の洗濯機１０は、フィルタ収容部１１０が、送風経路５０を流れる空気流の上流側に開口した上流側開口１１２と、送風経路５０を流れる空気流の下流側に開口した下流側開口１１４と、内気排出部１３０に連通した内気排出部連通口１１６と、外気導入部１４０に連通した外気導入部連通口１１８と、を有するものであり、フィルタ装置１００が、フィルタ収容部１１０の内部空間を、下流側開口１１４及び外気導入部連通口１１８に連通した第一空間１７６と、内気排出部連通口１１６に連通した第二空間１７８とに仕切る仕切壁１７４を有すること、を特徴とするものである。
【００７０】
かかる構成によれば、洗濯機１０の内部において循環させる気流と、排気として外部に排出させる気流とを容易に分離できる。
【００７１】
なお、本実施形態では、仕切壁１７４を固定式にしたものを例示したが、本発明はこれに限定されるものではなく、例えば、仕切壁１７４を上流側開口１１２の幅方向に移動可能な可動式のものとすることも可能である。かかる構成によれば、洗濯機１０の内部において循環させる気流と、排気として外部に排出させる気流との比率を容易に変更可能である。また、本実施形態では、仕切壁１７４を上流側フィルタ部材１６０の構成部材とした例を示したが、本発明はこれに限定されるものではなく、例えば、フィルタ収容部１１０の構成部材とする等しても良い。
【００７２】
（１−５）本実施形態の洗濯機１０は、フィルタ収容部１１０が、送風経路５０を流れる空気流の上流側に開口した上流側開口１１２と、送風経路５０を流れる空気流の下流側に開口した下流側開口１１４と、を有し、フィルタ部材が、上流側開口１１２の開口領域に亘って取り付けられる上流側フィルタ部材１６０と、下流側開口１１４の開口領域に亘って取り付けられる下流側フィルタ部材１８０と、を有すること、を特徴とするものである。
【００７３】
かかる構成によれば、送風経路５０を循環する空気流に含まれている異物を二段階で除去できる。そのため、上述した構成によれば、清浄度の高い空気流を循環させることが可能となる。また、上述したように、上流側フィルタ部材１６０及び下流側フィルタ部材１８０を設ければ、例えば、これらのうち一方のフィルタ部材を装着し忘れる等しても、他方のフィルタ部材によって空気中のリントを捕捉することができる。またさらに、上流側フィルタ部材１６０及び下流側フィルタ部材１８０からなる二つのフィルタを設けることにより、単一のフィルタを設ける場合に比して、送風経路５０を流れる湿潤な空気と外気導入部１４０から取り込んだ外気とをフィルタ収容部１１０にて混合することで、送風経路５０を流れる湿潤な空気の温度を下げて（飽和水蒸気量を低下させて）含まれている水分を結露水として効率的に分離、除去できる。さらには、フィルタ収容部１１０を通過する空気に含まれるリントを、上流側フィルタ部材１６０及び下流側フィルタ部材１８０に発生させた結露水により付着しにくくでき、あるいはリントが付着しても結露水によって流下させることができる。
【００７４】
ここで、上述したように、フィルタ収容部１１０に上流側フィルタ部材１６０及び下流側フィルタ部材１８０を設けるなどして、送風経路５０を流れる湿潤な空気に含まれている水分を結露水として効率的に分離、除去できる構成とした場合には、フィルタ収容部１１０に結露水が溜まるを抑制可能な構成とすることが望ましい。かかる知見に基づけば、例えば次の（１−６）のような構成とすることが望ましい。
【００７５】
（１−６）本実施形態の洗濯機１０は、フィルタ収容部１１０が、水分を排出可能な排水口１２０、及び排水口１２０に向けて下り勾配となった傾斜部１２２を底部１１０ｅに有すること、を特徴とするものである。
【００７６】
かかる構成によれば、フィルタ収容部１１０において回収された結露水等の水分をスムーズに排水口１２０に集めて排出することができる。これにより、フィルタ収容部１１０内を清浄に維持することが可能となる。
【００７７】
（１−７）本実施形態の洗濯機１０は、排水口１２０から、フィルタ装置１００に対して上流側において送風経路５０に繋がる排水管１２０ａを有することを特徴とするものである。
【００７８】
かかる構成によれば、フィルタ装置１００において回収された結露水等の水分を、送風経路５０の上流側にスムーズに環流させることができる。
【００７９】
（１−８）本実施形態の洗濯機１０は、フィルタ収容部１１０の内周面の一部又は全部が凹凸形状とされていること、を特徴とするものである。
【００８０】
かかる構成によれば、フィルタ収容部１１０において結露水等の水分をゆっくりと流下させることができる。これにより、フィルタ収容部１１０を通過する気流により水分を蒸発させ、フィルタ収容部１１０から外部に排出される水分量を最小限に抑制できる。
【００８１】
（２−１）本実施形態の洗濯機１０は、筐体２０と、前記筐体２０内に設けられる水槽３０、及び前記水槽３０内に回転可能に設けられる回転槽４０を含む洗濯槽３５と、洗濯槽３５の洗濯槽吸気部３２に温風を供給する温風供給部７０と、洗濯槽３５に設けられた洗濯槽排気部３４から洗濯槽吸気部３２に至る送風経路５０と、送風経路５０を流れる空気に含まれる異物を捕集するフィルタ装置１００と、給水可能な給水部８２と、を備え、送風経路５０は、洗濯槽排気部３４とフィルタ装置１００とを連通させる連通部５８を有し、連通部５８は、給水部８２により供給された水を受ける水受部６０と、水受部６０に連通した連通部５８と、を有し、水受部６０に設けられた開口部６２を介して、水受部６０と連通部５８とが連通していること、を特徴とするものである。
【００８２】
かかる構成によれば、水受部６０から開口部６２を介して連通部５８に水を落とし込み、連通部５８を洗浄することができる。そのため、上述した構成によれば、連通部５８を清浄に維持可能な洗濯機１０を提供できる。
【００８３】
（２−２）本実施形態の洗濯機１０は、水受部６０が、開口部６２を囲むように立設された立設部６４を有すること、を特徴とするものである。
【００８４】
かかる構成によれば、立設部６４の外周側に溜められた水を、開口部６２の周方向略全域から連通部５８に向けて落とし込むことができる。そのため、上述した構成によれば、連通部５８を周方向略全域に亘って洗浄することができる。
【００８５】
（２−３）本実施形態の洗濯機１０は、水受部６０が、開口部６２の周囲における１以上の個所に設けられた溝部６６を有すること、を特徴とするものである。
【００８６】
かかる構成によれば、溝部６６を設けた位置において開口部６２に向けて水を落とし込むことが可能となる。これにより、成り行きに任せることなく、所望の位置に水を落とし込んで連通部５８を洗浄することが可能となる。
【００８７】
（２−４）本実施形態の洗濯機１０は、給水部８２が、開口部６２が開口する方向と交差する方向から給水すること、を特徴とするものである。
【００８８】
かかる構成によれば、水受部６０の各部に略均一に水を行き渡らせることができる。これにより、開口部６２の各部から連通部５８に向けて略均一に水を落とし込み、洗浄することが可能となる。
【００８９】
（３−１）本実施形態の洗濯機１０は、筐体２０と、前記筐体２０内に設けられる水槽３０、及び前記水槽３０内に回転可能に設けられる回転槽４０を含む洗濯槽３５と、洗濯槽３５の洗濯槽吸気部３２に温風を供給する温風供給部７０と、洗濯槽３５に設けられた洗濯槽排気部３４から洗濯槽吸気部３２に至る送風経路５０と、を備え、温風供給部７０が、送風経路５０において気流を形成する送風装置７２と、送風経路５０を流れる空気を加熱する加熱装置７４と、を有し、加熱装置７４が、送風経路５０の中途であって、送風経路５０をなす空間の断面積が上流側よりも狭窄された狭窄部５２ａに配置されていること、を特徴とするものである。
【００９０】
本実施形態の洗濯機１０は、送風経路５０において空間断面積が狭窄された狭窄部５２ａに加熱装置７４を設けているため、送風経路５０を流れる空気をスムーズかつ効率良く加熱することができる。
【００９１】
（３−２）本実施形態の洗濯機１０は、送風経路５０を流れる空気に含まれる異物を捕集するフィルタ装置１００を備え、温風供給部７０が、フィルタ装置１００に対して送風経路５０における気流の流れ方向下流側に配されていること、を特徴とするものである。
【００９２】
かかる構成によれば、フィルタ装置１００において異物が除去された後に空気流の加熱を行うことができる。そのため、上述した構成によれば、異物除去前の空気流を加熱する場合に比べ、異物が存在していない分だけ少ない熱エネルギーによって効率良く空気流を加熱することができる。
【００９３】
（３−３）本実施形態の洗濯機１０は、筐体２０と、前記筐体２０内に設けられる水槽３０、及び前記水槽３０内に回転可能に設けられる回転槽４０を含む洗濯槽３５と、洗濯槽３５の洗濯槽吸気部３２に温風を供給する温風供給部７０と、洗濯槽３５に設けられた洗濯槽排気部３４から洗濯槽吸気部３２に至る送風経路５０と、を備え、筐体２０が、正面側において左右に延びる前梁２８ａと、背面側において左右に延びる後梁２８ｂと、左側方、及び右側方において前後方向に延び、前梁２８ａ及び後梁２８ｂに対して接続された一対の側方梁２８ｃ，２８ｄと、を有し、送風経路５０をなす構成部材が、前梁２８ａ、後梁２８ｂ、及び側方梁２８ｃ，２８ｄから選ばれる一又は複数の梁に対して懸架されること、を特徴とするものである。
【００９４】
かかる構成によれば、送風経路５０をなす構成部材を強度の高い前梁２８ａや、後梁２８ｂ、側方梁２８ｃ，２８ｄに懸架することができ、振動に対する剛性の向上を図ることができる。具体的には、例えば、上述したように送風経路５０に対して温風供給部７０等を組み付けた場合、送風経路５０は他部材に比べて重量が大きく、送風に伴う振動の発生や洗濯槽３５の回転に伴う振動の影響が懸念される。しかしながら、送風経路５０をなす各部材を、強度の高い各梁によって構成された剛性の高い筐体２０に対して懸架して組み付ければ、送風経路５０を安定的に保持することができる。
【００９５】
（３−４）本実施形態の洗濯機１０は、送風経路５０をなす構成部材に対し、温風供給部７０をなす構成部材が組み付けられること、を特徴とするものである。
【００９６】
かかる構成によれば、温風供給部７０の作動に伴う振動についても各梁で受けることが可能となり、より一層振動に対する剛性の向上を図ることが可能となる。
【００９７】
（４−１）本実施形態の洗濯機１０は、筐体２０と、前記筐体２０内に設けられる水槽３０、及び前記水槽３０内に回転可能に設けられる回転槽４０を含む洗濯槽３５と、を備え、筐体２０が、洗濯槽３５を内部に収容する本体部２６ａと、本体部２６ａの下方に配置される台座部２６ｂと、本体部２６ａ及び台座部２６ｂを接続する接続部２６ｃと、を有し、接続部２６ｃが、本体部２６ａの底部に固定される本体側固定部２６ｅと、台座部２６ｂの天部に固定される台座側固定部２６ｆと、を有し、前記台座側固定部が、前記台座部の左右上面に締結される台座側側梁と、前記台座部の前部上面において左右方向に延びる台座側前面プレートとを有するものであり、前記本体側固定部が、前記本体部の前面下部において左右方向に延びる本体側前面プレートを有するものであり、前記台座側側梁に対し、前記台座側前面プレート、及び前記本体側プレートが締結されること、を特徴とするものである。
【００９８】
かかる構成によれば、防振性及び剛性の向上を図ることが可能となる。
【００９９】
（４−２）本実施形態の洗濯機１０は、本体部２６ａと台座部２６ｂとの間に、周方向外側に向けて開放可能な開口部２６ｄを有すること、を特徴とするものである。
【０１００】
かかる構成によれば、例えば、筐体２０の下方側において、筐体２０の内側に手や工具等を差し入れて作業したり、排水用の配管の引廻し、プリント基板の更新、保守等、様々な用途のために開口部２６ｄを活用することが可能となる。
【０１０１】
本発明の洗濯機は、上記実施形態において例示した洗濯機１０に限定されず、例えば、以下に変形例として記載する構成とすることも可能である。以下、図面を参照しつつ詳細に説明する。なお、以下の説明において、上記実施形態において説明したものと同一の構成については、同一の符号を付し、詳細の説明については省略する。
【０１０２】
≪第一変形例≫
ここで、例えば特開２０１２−０７５８１８に開示されているもののように、温水を利用して洗濯可能な洗濯乾燥機が提供されている。このような洗濯乾燥機においては、温水を用いて洗濯する際に、水槽内において発生する水蒸気が循環風路内にも浸入することがあった。循環風路内に水蒸気が浸入すると、循環風路内の湿度が上昇し、循環風路内において結露が発生しやすいという問題があった。特に、循環風路の内部に設けられた乾燥用のヒータなどの電気部品が結露する現象が長期間に亘って繰り返されると、電気部品の故障等に繋がる懸念がある。このような問題を解決すベく、特開２０１２−０７５８１８に係る従来技術においては、温水を使用して洗濯を行う場合に、乾燥用ヒータを通電して発熱させることによって、循環風路内の結露発生を抑制することとしている。
【０１０３】
しかしながら、上述した特許文献に記載の洗濯乾燥機では、温水使用時に乾燥用ヒータを通電して発熱させるため、温水ヒータと乾燥用ヒータとの同時使用による消費電力の増加が懸念される。また、温水発生時に乾燥用ヒータを使用することで、当該ヒータが結露水に暴露した状態で通電される為、故障等の原因になりかねないという問題があった。また、結露したまま放置してしまうと、カビ等の微生物の発生を誘発しかねないという問題もあった。
【０１０４】
そこで、第一変形例においては、温水を用いて洗濯を行う場合であっても、洗濯機の内部における結露の発生を抑制することを目的とした。
【０１０５】
［第一変形例の構成及び効果について］
上述した課題を解決すべく提供される本変形例の洗濯機の構成及び効果は、以下の通りである。
【０１０６】
（５−１）本変形例の洗濯機は、筐体と、前記筐体内に設けられる水槽及び前記水槽内に回転可能に設けられる回転槽を含む洗濯槽と、前記洗濯槽に設けられた洗濯槽吸気部及び洗濯槽排気部を前記洗濯槽の外部において送風可能に繋ぐ送風経路と、前記送風経路において気流を発生させる送風装置と、前記洗濯槽に温水を供給する温水形成部と、を有し、前記洗濯槽に投入された洗濯物の洗濯を行う洗濯工程、前記洗濯槽に投入された洗濯物のすすぎを行うすすぎ工程、及び前記洗濯槽に投入された洗濯物の脱水を行う脱水工程を含む複数の工程から選ばれる一又は複数の工程からなる運転モードによる運転を行えるものであり、前記洗濯工程及び前記すすぎ工程のいずれか一方又は双方と前記脱水工程とを含み、前記温水形成部により供給された温水を用いて洗濯及びすすぎのいずれか一方又は双方を行うと共に、前記脱水工程を少なくとも一回行う運転モードによる運転が行われるときに、前記運転モードによる運転に含まれる一又は複数の前記脱水工程のうち少なくともいずれかにおいて前記送風装置により前記送風経路に気流を発生させる脱水時送風動作を行えること、を特徴とするものである。
【０１０７】
かかる構成によれば、温水を用いて洗濯及びすすぎのいずれか一方又は双方を行う運転モードでの運転を行った場合に、脱水工程において脱水時送風動作を行うことにより送風経路を流れる気流によって湿度を低下させ、結露を抑制することができる。
【０１０８】
（５−２）上述した洗濯機は、前記運転モードに含まれる複数の前記脱水工程のうち、少なくとも温水を用いた洗濯又はすすぎを行った直後に行われる前記脱水工程において、前記脱水時送風動作が行われること、を特徴とする請求項１に記載のものであると良い。
【０１０９】
かかる構成によれば、温水を用いた洗濯やすすぎにより湿度が高まった直後に行われる脱水工程において、送風経路に気流を流して湿度を低下させることができる。これにより、送風経路において結露が発生するのをより一層抑制できる。
【０１１０】
（５−３）上述した洗濯機は、前記運転モードに含まれる複数の前記脱水工程のうち、一部の前記脱水工程において、前記回転槽を最大回転数で回転させること、を特徴とする請求項１又は２に記載のものであると良い。
【０１１１】
かかる構成によれば、回転槽に残存したり付着したりしている水分を飛ばし、回転槽の乾燥を促進することができる。また、回転槽から飛ばされた水分は、脱水時送風動作を行うことにより乾燥させることができる。従って、上述した構成によれば、結露の発生をより一層確実に抑制できる。
【０１１２】
（５−４）上述した洗濯機は、前記運転モードに含まれる複数の前記脱水工程のうち、少なくとも最後に行われる前記脱水工程において、前記回転槽を最大回転数で回転させること、を特徴とする請求項１又は２に記載のものであると良い。
【０１１３】
かかる構成によれば、回転槽に残存したり付着したりしている水分をより一層確実に飛ばし、回転槽の乾燥を促進できる。
【０１１４】
（５−５）上述した洗濯機は、前記送風経路を通過する空気を加熱する加熱装置を有し、少なくとも温水を用いた洗濯又はすすぎを行った直後に行われる前記脱水工程において前記脱水時送風動作を行うときには、前記加熱装置による空気の加熱が停止されること、を特徴とする請求項１〜３のいずれか１項に記載のものであると良い。
【０１１５】
かかる構成によれば、加熱装置の作動による電力の消費を抑制することができる。
【０１１６】
（５−５）上述した洗濯機は、室温を検知する室温検知装置を有し、前記脱水時送風動作における前記送風装置による送風能力が、前記室温検知装置により検知される室温に応じて調整されること、を特徴とする請求項１〜４のいずれか１項に記載のものであると良い。
【０１１７】
かかる構成によれば、室温の高低に応じて、最適な送風能力により送風を行うことができる。これにより、結露の発生を抑制するために最適な送風量で送風を行うことができ、効率的に結露を抑制できる。
【０１１８】
（５−６）上述した洗濯機は、室温を検知する室温検知装置を有し、前記脱水時送風動作における前記送風装置による送風時間が、前記室温検知装置により検知される室温に応じて調整されること、を特徴とする請求項１〜４のいずれか１項に記載のものであると良い。
【０１１９】
かかる構成によれば、室温の高低に応じて、送風時間の最適化を図ることができる。これにより、結露の発生を抑制するために過度に長時間に亘って送風が行われるのを抑制し、運転時間の短縮や消費電力の抑制等を図ることができる。また、室温の高低を考慮して十分な送風時間を確保でき、結露の発生を効率的に抑制できる。
【０１２０】
（５−７）上述した洗濯機は、前記脱水時送風動作が、前記脱水工程の開始タイミングから遅延して開始されること、を特徴とする請求項１〜６のいずれか１項に記載のものであると良い。
【０１２１】
かかる構成によれば、脱水工程の開始直後における水分を多く含んだ空気が送風経路を流れるのを抑制できる。
【０１２２】
（５−８）上述した洗濯機は、前記脱水工程において前記回転槽が回転を開始してから、前記回転槽の回転数が所定の回転数に到達するまで、前記脱水時送風動作の開始が遅延されること、を特徴とする請求項１〜７のいずれか１項に記載のものであると良い。
【０１２３】
かかる構成によれば、脱水工程において回転槽が回転を開始してから回転槽の回転数が所定の回転数に到達するまでの脱水工程の初期において衣類に含まれる水分を一定程度脱水及び排水して、洗濯槽内に存在している水分を多く含んだ空気が送風経路を流れるのを抑制できる。
【０１２４】
（５−９）上述した洗濯機は、前記温水形成部により供給される温水の温度が所定の基準温度以上であることを条件として、前記脱水時送風動作が行われること、を特徴とする請求項１〜８のいずれか１項に記載のものであると良い。
【０１２５】
かかる構成によれば、結露の発生が懸念される温度の温水が洗濯やすすぎに使用された場合に、脱水時送風動作を適確に行うことができる。
【０１２６】
［第一変形例の具体例について］
以下、第一変形例に係る洗濯機１０について、図面を参照しつつ詳細に説明する。なお、本変形例に係る洗濯機１０は、上記実施形態に係るものと大部分において構成が共通するため、同一の構成については同一の符号を付し、詳細の説明については省略する。
【０１２７】
洗濯機１０は、上記実施形態において例示したものと同様に、筐体２０、洗濯槽３５、送風経路５０、送風装置７２、加熱装置７４を備えている。図１７に示すように、本変形例の洗濯機１０は、これらの構成に加え、温水形成部２００、室温検知装置２１０、及び制御部２２０を備えている。
【０１２８】
温水形成部２００は、洗濯やすすぎに用いる水を温水にするためのものである。温水形成部２００は、通電により発熱するヒータによって構成されている。温水形成部２００は、外部から供給された低温の水を加熱することで温水にすることができる。温水形成部２００は、例えば洗濯槽３５等、適宜の場所に設けることができる。温水形成部２００は、制御部２２０の制御のもと、動作可能とされている。
【０１２９】
室温検知装置２１０は、洗濯機１０が設置されている室内の温度を検出するための温度センサを備えている。室温検知装置２１０は、制御部２２０に対して検出した室温に係るデータを出力可能とされている。
【０１３０】
制御部２２０は、洗濯機１０の動作全般を制御するものである。制御部２２０は、温水形成部２００や室温検知装置２１０に対して接続されている。また、制御部２２０は、洗濯槽３５において回転槽４０を駆動させるためのモータや、送風装置７２、加熱装置７４に対して接続されている。これにより、制御部２２０は、回転槽４０の回転や、送風装置７２による送風、加熱装置７４による加熱等を制御可能とされている。
【０１３１】
制御部２２０は、洗濯槽３５に投入された洗濯物の洗濯を行う洗濯工程、洗濯槽３５に投入された洗濯物のすすぎを行うすすぎ工程、及び洗濯槽３５に投入された洗濯物の脱水を行う脱水工程を含む複数の工程から選ばれる一の工程のみからなる運転や、これらの工程から選ばれる複数の工程を組み合わせてなる運転モードによる運転を行うように、洗濯機１０の動作制御を行うことができる。本変形例の洗濯機１０は、洗濯工程及びすすぎ工程のいずれか一方又は双方と脱水工程とを含む運転モードにより運転を行う場合であって、温水供給部により供給された温水を用いて洗濯及びすすぎのいずれか一方又は双方を行う場合に、制御部２２０による制御のもと、脱水時送風動作を行えるものとされている。以下、脱水時送風動作について、図１８に示したタイミングチャートを参照しつつ、詳細に説明する。
【０１３２】
図１８のタイミングチャートに示す例においては、洗濯工程、第一脱水工程、すすぎ工程、第二脱水工程、第三脱水工程、乾燥工程の順で各工程が行われる運転モードにより、洗濯機１０が運転を行う。ここで、洗濯工程は、洗濯槽３５に投入された洗濯物を洗濯する工程である。図１８のタイミングチャートで例示した運転モードでは、洗濯工程において温水形成部２００により温水にされた水を用いて洗濯が行われる。また、第一脱水工程は、洗濯工程の後、すすぎ工程に移る前に行われる脱水工程である。すすぎ工程は、第一脱水工程の後に、洗濯槽３５に再度水を投入し、洗濯物をすすぐための工程である。第二脱水工程は、すすぎ工程の後、第三脱水工程の前に予備的に行われる脱水工程である。第三脱水工程は、第二脱水工程の後、さらに洗濯物の脱水を行うための脱水工程である。乾燥工程は、第三脱水工程において十分脱水された洗濯物を、洗濯槽３５に供給される温風により乾燥させるための工程である。
【０１３３】
上述した運転モードにより、洗濯工程において温水を用いて洗濯が行われる場合、制御部２２０は、当該運転モードに含まれている第一脱水工程、第二脱水工程、及び第三脱水工程のうち少なくともいずれかにおいて、送風経路５０に気流が発生するように送風装置７２を動作させる（脱水時送風動作）。脱水時送風動作は、少なくとも温水を用いた洗濯又はすすぎを行った直後に行われる脱水工程において行われる。図１８の例においては、洗濯工程において温水が用いられる。そのため、制御部２２０は、少なくとも、洗濯工程の後に行われる第一脱水工程において、脱水時送風動作を行う。図１８の例においては、第一脱水工程に加え、第二脱水工程及び第三脱水工程においても、脱水時送風動作を行うように、制御部２２０が送風装置７２の動作制御を行う。
【０１３４】
制御部２２０は、運転モードに含まれる複数の脱水工程のうち、一部の脱水工程において、回転槽４０を最大回転数で回転させる。また、制御部２２０は、運転モードに含まれる複数の脱水工程のうち、少なくとも最後に行われる脱水工程において、回転槽４０を最大回転数で回転させる。図１８のタイミングチャートに示した例においては、第一脱水工程、第二脱水工程、及び第三脱水工程のうち、最後に行われる第三脱水工程において、回転槽４０を最大回転数で回転させる制御を行う。
【０１３５】
また、制御部２２０は、温水を用いた洗濯やすすぎを行った直後に行われる脱水工程において脱水時送風動作を行うときに、加熱装置７４による空気の加熱を停止させる制御を行う。図１８の例においては、洗濯工程において温水を用いて洗濯を行うため、制御部２２０は、洗濯工程の直後に行われる第一脱水工程において脱水時送風動作を行うときに、加熱装置７４による空気の加熱を停止させる。
【０１３６】
制御部２２０は、脱水時送風動作を行う際に、送風装置７２による送風能力を、室温検知装置２１０により検知される室温に応じて連続的あるいは段階的に調整する制御を行う。本変形例では、冬期のように室温が低温になる場合、春期や秋期のように室温が中程度の温度になる場合、夏期のように室温が高温になる場合の３段階に分けて室温を把握できるように温度範囲が規定されている。また、送風装置７２の送風能力が、送風装置７２が備えるファンの回転数に応じて３段階に分けて規定されている。さらに、室温と送風装置７２の送風能力との関係が、予め規定されている。例えば、室温が高温である場合には、結露が発生する可能性が低いため、送風装置７２の送風能力が一番低く規定される。一方、室温が低温である場合は、結露が発生する可能性が高いため、送風装置７２の送風能力が高く規定される。また、室温が中程度である場合には、送風装置７２の送風能力についても中程度に規定される。制御部２２０は、このようにして規定された室温と送風能力との関係、及び室温検知装置２１０によって検知された室温に応じて、予め定められている規定に則って送風装置７２の送風能力を制御する。
【０１３７】
制御部２２０は、脱水時送風動作における送風装置７２による送風時間が、室温検知装置により検知される室温に応じて連続的あるいは段階的に調整する制御を行う。例えば、制御部２２０は、上述の通り、室温を高温、低温、中温の３段階に分ける等して室温を把握する。制御部２２０は、室温が中程度である場合に、送風装置７２の送風時間を標準的な時間に設定する。制御部２２０は、室温が高温である場合には、結露が発生する可能性が低いため、送風装置７２による送風時間を標準的な時間よりも短くする制御を行う。また、室温が低温である場合は、結露が発生する可能性が高いため、送風装置７２による送風時間を標準的な時間よりも長くする制御を行う。制御部２２０は、このようにして、室温検知装置２１０によって検知された室温に応じて送風装置７２による送風時間を調整する制御を行う。
【０１３８】
制御部２２０は、脱水時送風動作の開始タイミングを、脱水工程の開始タイミングから遅延して開始させる制御を行う。具体的には、制御部２２０は、脱水工程において回転槽４０が回転を開始してから、回転槽４０の回転数が所定の回転数に到達するまで、脱水時送風動作の開始を遅延させる。具体的には、回転槽４０の回転数が、最大回転数の３０〜６０％の範囲で規定された所定の回転数（図１８に示す例においては、最大回転数の約４０％の回転数）に到達するまで、脱水時送風動作の開始を遅延させる。また、回転槽４０の回転数が所定の回転数に到達した後には、脱水時送風動作を開始するように制御されている。
【０１３９】
上述したように、本変形例の洗濯機１０は、温水形成部２００により供給された温水を用いて洗濯及びすすぎのいずれか一方又は双方を行うと共に、脱水工程を少なくとも一回行う運転モードによる運転が行われるときに、運転モードによる運転に含まれる一又は複数の脱水工程のうち少なくともいずれかにおいて送風装置７２により送風経路５０に気流を発生させる脱水時送風動作を行うものとされている。そのため、温水を用いて洗濯及びすすぎのいずれか一方又は双方を行う運転モードでの運転を行った場合に、脱水工程において脱水時送風動作を行うことにより送風経路５０を流れる気流によって湿度を低下させ、結露を抑制することができる。
【０１４０】
また、本変形例の洗濯機１０においては、運転モードに含まれる複数の脱水工程のうち、少なくとも温水を用いた洗濯又はすすぎを行った直後に行われる脱水工程において、脱水時送風動作が行われる。そのため、温水を用いた洗濯やすすぎにより湿度が高まった直後に行われる脱水工程において、送風経路５０に気流を流して湿度を低下させることができる。これにより、送風経路５０において結露が発生するのをより一層抑制できる。
【０１４１】
上述したように、本変形例の洗濯機１０は、運転モードに含まれる複数の脱水工程のうち、一部の脱水工程において、回転槽４０を最大回転数で回転させるものとされている。そのため、回転槽４０に残存したり付着したりしている水分を飛ばし、回転槽４０の乾燥を促進することができる。また、回転槽４０から飛ばされた水分は、脱水時送風動作を行うことにより乾燥させることができる。従って、上述した構成によれば、結露の発生をより一層確実に抑制できる。
【０１４２】
なお、本変形例では、運転モードに含まれる複数の脱水工程のうち、一部の脱水工程において、回転槽４０を最大回転数で回転させるものとした例を示したが、本発明はこれに限定されない。例えば、全ての脱水工程において回転槽４０を最大回転数で回転させても良いし、全部の脱水工程において、回転槽４０を最大回転数よりも低い回転数で回転させる等しても良い。
【０１４３】
本変形例の洗濯機１０は、運転モードに含まれる複数の脱水工程のうち、少なくとも最後に行われる脱水工程において、回転槽４０を最大回転数で回転させるものとされている。そのため、洗濯機１０においては、回転槽４０に残存したり付着したりしている水分をより一層確実に飛ばし、回転槽４０の乾燥を促進できる。
【０１４４】
なお、本変形例では、運転モードに含まれる複数の脱水工程のうち、少なくとも最後に行われる脱水工程において、回転槽４０を最大回転数で回転させるものとした例を示したが、本発明はこれに限定されない。具体的には、最後に行われる脱水工程においても、回転槽４０を最大回転数で回転させないようにする等しても良い。
【０１４５】
また、本変形例の洗濯機１０は、送風経路５０を通過する空気を加熱する加熱装置７４を有し、少なくとも温水を用いた洗濯又はすすぎを行った直後に行われる脱水工程において脱水時送風動作を行うときには、加熱装置７４による空気の加熱を停止することとしている。そのため、本変形例の洗濯機１０によれば、加熱装置７４の作動による電力の消費を抑制することができる。
【０１４６】
なお、本変形例では、温水を用いた洗濯やすすぎを行った直後に行われる脱水工程において、脱水時送風動作を行うときに加熱装置７４による空気の加熱を停止する構成を例示したが、本発明はこれに限定されない。すなわち、洗濯機１０は、温水を用いた洗濯やすすぎを行った直後の脱水工程において加熱装置７４による空気の加熱を行うもので有っても良い。
【０１４７】
上述した本変形例の洗濯機１０は、室温を検知する室温検知装置２１０を有し、脱水時送風動作における送風装置７２による送風能力が、室温検知装置２１０により検知される室温に応じて調整されるものである。そのため、本変形例の洗濯機１０は、室温の高低に応じて、最適な送風能力により送風を行うことができる。これにより、結露の発生を抑制するために最適な送風量で送風を行うことができ、効率的に結露を抑制できる。
【０１４８】
なお、本変形例の洗濯機１０は、脱水時送風動作における送風装置７２による送風能力が、室温検知装置２１０により検知される室温に応じて調整されるものを例示したが、本発明はこれに限定されない。具体的には、洗濯機１０は、室温によらず、脱水時送風動作における送風装置７２による送風能力を同一のものとしたり、洗濯機１０に時計機能を設ける等して季節を把握できるようにし、季節に応じて送風能力を変化させるようにしたりしても良い。
【０１４９】
本変形例の洗濯機１０は、室温を検知する室温検知装置２１０を有し、脱水時送風動作における送風装置７２による送風時間を、室温検知装置２１０により検知される室温に応じて調整するものとされている。そのため、本変形例の洗濯機１０によれば、室温の高低に応じて、送風時間の最適化を図ることができる。これにより、結露の発生を抑制するために過度に長時間に亘って送風が行われるのを抑制し、運転時間の短縮や消費電力の抑制等を図ることができる。また、室温の高低を考慮して十分な送風時間を確保でき、結露の発生を効率的に抑制できる。
【０１５０】
なお、本変形例の洗濯機１０は、脱水時送風動作における送風装置７２による送風時間を室温に応じて調整するものとされているが、本発明はこれに限定されない。例えば、洗濯機１０は、室温によらず、脱水時送風動作における送風装置７２による送風時間を同一のものとしたり、洗濯機１０に時計機能を設ける等して季節を把握できるようにし、季節に応じて送風時間を変化させるようにしたりしても良い。
【０１５１】
本変形例の洗濯機１０は、脱水時送風動作が、脱水工程の開始タイミングから遅延して開始されるものとされている。そのため、本変形例の洗濯機１０によれば、脱水工程の開始直後における水分を多く含んだ空気が送風経路５０を流れるのを抑制できる。
【０１５２】
なお、本変形例においては、脱水時送風動作が脱水工程の開始タイミングから遅延して開始されるものを例示したが、本発明はこれに限定されない。すなわち、洗濯機１０は、脱水時送風動作が脱水工程と同一のタイミングで開始されるものであっても良い。
【０１５３】
本変形例の洗濯機１０においては、脱水工程において回転槽４０が回転を開始してから、回転槽４０の回転数が所定の回転数に到達するまで、脱水時送風動作の開始が遅延される。そのため、本変形例の洗濯機１０においては、脱水工程において回転槽４０が回転を開始してから回転槽４０の回転数が所定の回転数に到達するまでの脱水工程の初期において存在している水分を多く含んだ空気が送風経路５０を流れるのを抑制できる。
【０１５４】
なお、本変形例の洗濯機１０においては、脱水工程において回転槽４０の回転数が所定の回転数に到達するまで脱水時送風動作の開始を遅延する例を示したが、本発明はこれに限定されない。例えば、洗濯機１０は、脱水工程の開始タイミングから所定時間経過した後に脱水時送風動作が開始されるもの等であっても良い。
【０１５５】
本変形例の洗濯機１０は、洗濯工程において温水形成部２００により供給する温水の温度によらず、洗濯工程において温水が用いられることを脱水時送風動作を行うための条件とした例を示したが、本発明はこれに限定されない。具体的には、温水形成部２００により供給される温水の温度が所定の基準温度以上であることを条件として、脱水時送風動作が行われるものしても良い。これにより、結露の発生が懸念される温度の温水が洗濯やすすぎに使用された場合に、脱水時送風動作を適確に行うようにし、結露の発生の懸念が低い温度の温水が使用された場合には脱水時送風動作を省略することが可能になる。
【０１５６】
なお、本変形例においては、温水形成部２００により供給される温水の温度に応じて脱水時送風動作を行うものとした例を示したが、本発明はこれに限定されない。すなわち、洗濯機１０は、温水形成部２００により供給される温水の温度によらず、脱水時送風動作を行うものであっても良い。
【０１５７】
≪第二変形例≫
従来、特開２０１７−０５１２９６号公報に開示されている洗濯乾燥機のようなものが提供されている。特許文献１の洗濯乾燥機は、洗濯機筐体内に回転自在に設けられた回転ドラムと、洗濯機筐体外の空気を乾燥用空気として取り入れる吸気口と、吸気口から回転ドラムへ乾燥用空気を送給する吸気経路と、乾燥用空気を加熱するヒータと、乾燥用空気を回転ドラム内へ送風する送風ファンと、洗濯機筐体外に開口する排気口と、回転ドラム内で衣類と熱交換した乾燥用空気を排気口へ送給する排気経路と、ヒータや送風ファンなどを制御する制御部とを備えたものとされている。
【０１５８】
ここで、上記特許文献１の洗濯乾燥機のように、洗濯機の筐体に吸気口や排気口を設ける場合、これらの上に物品が配置される等して吸気口や排気口が閉塞されてしまい、吸気性能や排気性能が低下してしまう懸念がある。
【０１５９】
そこで、第二変形例においては、洗濯機において吸気や排気に用いられる外気導入部や内気排出部が設けられた部分に物品等が配置された場合であっても、空気の流れる経路を確保可能とすることを目的とした。
【０１６０】
［第二変形例の構成及び効果について］
上述した課題を解決すべく提供される本変形例の洗濯機の構成及び効果は、以下の通りである。
【０１６１】
（６−１）本変形例の洗濯機は、筐体と、前記筐体内に設けられる水槽及び前記水槽内に回転可能に設けられる回転槽を含む洗濯槽と、前記洗濯槽に設けられた洗濯槽吸気部及び洗濯槽排気部を前記洗濯槽の外部において送風可能に繋ぐ送風経路と、前記送風経路に外部から空気を導入可能なように外部に向けて開放された外気導入部と、前記送風経路から外部に空気を排出可能なように外部に向けて開放された内気排出部と、を備え、前記外気導入部及び前記内気排出部のうち、いずれか一方又は双方が前記筐体において外部に露出する外装面に対して交差する方向に空気が流れるように外部に連通した第一連通部と、前記第一連通部に対して交差する方向に空気が流れるように外部に連通した第二連通部とを有すること、を特徴とするものである。
【０１６２】
本変形例の洗濯機は、外気導入部及び内気排出部のうち、いずれか一方又は双方が、筐体において外部に露出する外装面に対して交差する方向に空気が流れるように外部に連通した第一連通部と、第一連通部に対して交差する方向に空気が流れるように外部に連通した第二連通部とを有する。そのため、第一連通部を閉塞するように物が配置されたとしても、第二連通部を介して空気が流れる経路を確保することができる。
【０１６３】
なお、本変形例において、外気導入部や内気排出部が設けられる外装面は、例えば洗濯機の天面や側面等とすることができる。洗濯機の天面に設けられた外気導入部や内気排出部を、上述したように第一連通部及び第二連通部を備えたものとすれば、天面の上に物が配置される等して第一連通部が閉塞される懸念があるものの、第二連通部による空気の流れが確保できる。また、洗濯機の側面に外気導入部や内気排出部が設けられた場合、これらが設けられた側面を壁面に当接させた状態で配置される等すると、第一連通部が閉塞される懸念があるが、第二連通部による空気の流れを確保できる。
【０１６４】
（６−２）上述した洗濯機は、前記第一連通部及び前記第二連通部のうち一方から他方が分岐するように形成されているものであると良い。
【０１６５】
かかる構成によれば、第一連通部と第二連通部とを全く異なるものとして設ける必要がないため、構成を簡素化することができる。
【０１６６】
（６−３）上述した洗濯機は、前記外装面のうち、前記筐体の天面をなす部分に前記外気導入部及び前記内気排出部のうち、いずれか一方又は双方が設けられているものであると良い。
【０１６７】
かかる構成によれば、筐体を構成する天面の上に物品が配置される等して、外気導入部や内気排出部において空気の流れが阻害されるのを抑制できる。
【０１６８】
（６−４）上述した洗濯機は、前記外装面において複数の桟を連子状あるいは格子状に設けた桟状部を有し、前記桟状部が、外部に露出すると共に、前記外装面の側方に連通するように形成されており、前記外気導入部及び前記内気排出部のうちいずれか一方又は双方が、前記桟状部に設けられており、前記第一連通部が、前記桟状部を構成する隣接する前記桟の間において前記外装面に対して開口した開口部によって形成されており、前記第二連通部が、前記桟状部を構成する隣接する前記桟の間において前記外装面に対して非開口であって、前記外装面の側方に連通した部分によって形成されているものであると良い。
【０１６９】
かかる構成によれば、桟同士の間に形成された開口部によって第一連通部を形成するとともに、桟同士の間であって開口が形成されていない部分において第二連通部を形成することができる。
【０１７０】
［第二変形例の具体例について］
以下、第二変形例に係る洗濯機１０について、図１９及び図２０を参照しつつ詳細に説明する。なお、本変形例に係る洗濯機１０は、上記実施形態に係るものと大部分において構成が共通するため、同一の構成については同一の符号を付し、詳細の説明については省略する。
【０１７１】
洗濯機１０は、上記実施形態において例示したものと同様の構成の筐体２０、洗濯槽３５、送風経路５０を備えている。第二変形例の洗濯機１０は、上述した内気排出部１３０及び外気導入部１４０と一部の構成が相違している。以下、第二変形例における内気排出部１３０及び外気導入部１４０の構成について、図面を参照しつつ詳細に説明する。
【０１７２】
内気排出部１３０は、送風経路５０から外部に空気を排出可能なように外部に向けて開放されたものである。また、外気導入部１４０は、送風経路５０に外部から空気を導入可能なように外部に向けて開放されたものである。内気排出部１３０及び外気導入部１４０は、それぞれ筐体２０の外装面をなす面のうち天面２０ｅにおいて、背面２０ｂ側の位置に設けられている。
【０１７３】
内気排出部１３０及び外気導入部１４０は、それぞれ複数の桟２５２，２６２を連子状あるいは格子状に設けた桟状部２５０，２６０により形成されている。桟状部２５０，２６０は、天面２０ｅにおいて外部に露出すると共に、天面２０ｅの側方（本変形例では背面２０ｂ側）に向けて連通するように形成されている。
【０１７４】
内気排出部１３０及び外気導入部１４０は、それぞれ桟状部２５０，２６０により形成された第一連通部２５４，２６４、及び第二連通部２５６，２６６を有する。
【０１７５】
第一連通部２５４，２６４は、天面２０ｅに対して交差する方向（本変形例では上下方向）に空気が流れるように外部に連通している。第一連通部２５４，２６４は、桟状部２５０，２６０を構成する隣接する桟２５２，２５２の間や、桟２６２，２６２の間において天面２０ｅに対して開口した開口部によって形成されている。
【０１７６】
第二連通部２５６，２６６は、第一連通部２５４，２６４に対して交差する方向に空気が流れるように外部に連通したものである。第二連通部２５６，２６６は、第一連通部２５４，２６４から分岐するように形成されている。第二連通部２５６，２６６は、桟状部２５０，２６０を構成する隣接する桟２５２，２５２の間や、桟２６２，２６２の間において天面２０ｅに対して非開口であって、天面２０ｅの側方（本変形例では背面２０ｂ側）に向けて連通した部分によって形成されている。第二連通部２５６，２６６を構成する非開口部分は、桟２５２，２５２や桟２６２，２６２の上端部（開放端）よりも低い位置にある。そのため、桟２５２，２５２や桟２６２，２６２の間に、天面２０ｅ（外装面）の表面に沿って空気が流れる溝が形成されている。また、図２０に示すように、桟２５２や桟２６２は、第二連通部２５６，２６６の終端側（本変形例では背面２０ｂ側）において上端側から下端側に向けて傾斜した傾斜部２５８，２６８を有する。このような構成とされているため、桟状部２５０，２６０の上に物品が配置されたとしても、傾斜部２５８，２６８と物品との間に隙間が形成され、第二連通部２５６，２６６における通気性を確保することができる。
【０１７７】
上述したように、本変形例の洗濯機１０は、内気排出部１３０及び外気導入部１４０の双方が、筐体２０において外部に露出する天面２０ｅに対して交差する方向に空気が流れるように外部に連通した第一連通部２５４，２６４と、第一連通部２５４，２６４に対して交差する方向に空気が流れるように外部に連通した第二連通部２５６，２６６とを有する。そのため、本変形例の洗濯機１０においては、第一連通部２５４，２６４を閉塞するように物が配置されたとしても、第二連通部２５６，２６６を介して空気が流れる経路を確保することができる。
【０１７８】
なお、本変形例においては、天面２０ｅに内気排出部１３０や外気導入部１４０が設けられる例を示したが、本発明はこれに限定されない。例えば、筐体２０の側面に内気排出部１３０や外気導入部１４０が設けられた場合、これらが設けられた側面を上述した構成とすれば、当該側面を壁面に当接させた状態で配置される等して第一連通部２５４，２６４が閉塞されたとしても、第二連通部２５６，２６６による空気の流れを確保できる。
【０１７９】
なお、本変形例においては、内気排出部１３０及び外気導入部１４０の双方を上述したように第一連通部２５４，２６４及び第二連通部２５６，２６６を備えた構成とした例を示したが、本発明はこれに限定されない。すなわち、内気排出部１３０及び外気導入部１４０のいずれか一方については、上述したように第一連通部２５４，２６４及び第二連通部２５６，２６６を備えた構成とは異なるものであっても良い。
【０１８０】
上述した本変形例の洗濯機１０は、第一連通部２５４，２６４及び第二連通部２５６，２６６のうち一方から他方が分岐するように形成されている。そのため、第一連通部２５４，２６４と第二連通部２５６，２６６とを全く異なるものとして設ける必要がないため、構成を簡素化することができる。
【０１８１】
なお、本変形例においては、第一連通部２５４，２６４から第二連通部２５６，２６６が分岐するようにした例を示したが、本発明はこれに限定されるものではない。すなわち、内気排出部１３０や外気導入部１４０は、第二連通部２５６，２６６から第一連通部２５４，２６４が分岐するようにしたものや、第一連通部２５４，２６４及び第二連通部２５６，２６６を別経路で設けたものであっても良い。
【０１８２】
上述した洗濯機１０は、筐体２０の天面２０ｅをなす部分に内気排出部１３０及び外気導入部１４０が設けられている。そのため、洗濯機１０は、筐体２０を構成する天面の上に物品が配置される等して、内気排出部１３０及び外気導入部１４０において空気の流れが阻害されるのを抑制できる。
【０１８３】
なお、本変形例においては、内気排出部１３０及び外気導入部１４０の双方が天面２０ｅに設けられた例を示したが、本発明はこれに限定されない。具体的には、内気排出部１３０及び外気導入部１４０うち、いずれか一方又は双方が、筐体２０の側面等、天面２０ｅ以外の外装面に設けられていても良い。
【０１８４】
上述した洗濯機１０は、天面２０ｅにおいて複数の桟２５２，２６２を連子状あるいは格子状に設けた桟状部２５０，２６０を有し、桟状部２５０，２６０が、外部に露出すると共に、天面２０ｅの側方に連通するように形成されている。また、内気排出部１３０及び外気導入部１４０の双方が、桟状部２５０，２６０に設けられており、桟２５２，２６２の間において天面２０ｅに対して開口した開口部によって第一連通部２５４，２６４が形成され、桟２５２，２６２の間において非開口とされた部分によって第二連通部２５６，２６６が形成されている。本変形例の洗濯機１０は、このようなシンプルな構成により、第一連通部２５４，２６４及び第二連通部２５６，２６６を設けることができる。
【０１８５】
なお、本変形例においては、桟状部２５０，２６０を活用して第一連通部２５４，２６４及び第二連通部２５６，２６６を設けた例を示したが、本発明はこれに限定されるものではない。洗濯機１０は、例えば、第一連通部２５４，２６４用の開口と、第二連通部２５６，２６６用の開口とを別々に設けたもの等としても良い。
【０１８６】
本発明は、上述した実施形態や変形例等として示したものに限定されるものではなく、特許請求の範囲を逸脱しない範囲でその教示および精神から他の実施形態があり得る。上述した実施形態の構成要素は任意に選択して組み合わせて構成するとよい。また実施形態の任意の構成要素と、発明を解決するための手段に記載の任意の構成要素または発明を解決するための手段に記載の任意の構成要素を具体化した構成要素とは任意に組み合わせて構成してもよい。これらについても本願の補正または分割出願等において権利取得する意思を有する。
【産業上の利用可能性】
【０１８７】
本発明は、洗濯機全般において好適に利用できる。
【符号の説明】
【０１８８】
１０        ：洗濯機
２０        ：筐体
２６ａ      ：本体部
２６ｂ      ：台座部
２６ｃ      ：接続部
２６ｄ      ：開口部
２６ｅ      ：本体側固定部
２６ｆ      ：台座側固定部
２８ａ      ：前梁
２８ｂ      ：後梁
２８ｃ      ：側方梁
２８ｄ      ：側方梁
３０        ：水槽
３２        ：洗濯槽吸気部
３４        ：洗濯槽排気部
３５        ：洗濯槽
４０        ：回転槽
５０        ：送風経路
５２ａ      ：狭窄部
５８        ：連通部
６０        ：水受部
６２        ：開口部
６４        ：立設部
６６        ：溝部
７０        ：温風供給部
７２        ：送風装置
７４        ：加熱装置
８２        ：給水部
１００      ：フィルタ装置
１１０      ：フィルタ収容部
１１０ｅ    ：底部
１１２      ：上流側開口
１１４      ：下流側開口
１１６      ：内気排出部連通口
１１８      ：外気導入部連通口
１２０      ：排水口
１２０ａ    ：排水管
１２２      ：傾斜部
１３０      ：内気排出部
１３４      ：内気排出口
１４０      ：外気導入部
１６０      ：上流側フィルタ部材
１７４      ：仕切壁
１７６      ：第一空間
１７８      ：第二空間
１８０      ：下流側フィルタ部材
２００      ：温水形成部
２１０      ：室温検知装置
２２０      ：制御部
２５０      ：桟状部
２５２      ：桟
２５４      ：第一連通部
２５６      ：第二連通部
２５８      ：傾斜部
２６０      ：桟状部
２６２      ：桟
２６４      ：第一連通部
２６６      ：第二連通部
２６８      ：傾斜部
【図１】
0006947454.tif 000002
【図２】
0006947454.tif 000003
【図３】
0006947454.tif 000004
【図４】
0006947454.tif 000005
【図５】
0006947454.tif 000006
【図６】
0006947454.tif 000007
【図７】
0006947454.tif 000008
【図８】
0006947454.tif 000009
【図９】
0006947454.tif 000010
【図１０】
0006947454.tif 000011
【図１１】
0006947454.tif 000012
【図１２】
0006947454.tif 000013
【図１３】
0006947454.tif 000014
【図１４】
0006947454.tif 000015
【図１５】
0006947454.tif 000016
【図１６】
0006947454.tif 000017
【図１７】
0006947454.tif 000018
【図１８】
0006947454.tif 000019
【図１９】
0006947454.tif 000020
【図２０】
0006947454.tif 000021